(57)【特許請求の範囲】
【請求項１】
災害発生時に片開き式または両開き式の防水扉を閉鎖して開口部からの流水を防止する防水扉において、防水扉の上枠部並びに竪枠部の止水機構はパッキン材を介して前記防水扉を押圧して止水を行う構成とし、該防水扉の下端部と床面部の間隙用止水機構はＴ字形状の止水保持枠を防水扉の下端部に設置して防水扉の閉鎖位置の沓摺上部に搬送可能で、該Ｔ字形状の止水保持枠は防水扉の閉鎖位置において下方に設けられた沓摺上に降下移動して前記防水扉と床面部の間隙を塞ぐことができ、該Ｔ字形状の止水保持枠を前記沓摺とボルト等の締結手段にて締結しＴ字形状の止水保持枠と防水扉の下端部の止水はＴ字形状の止水保持枠上部に設けられたパッキン材にておこなうことを特徴とする防水扉の止水機構。
【請求項２】
前記沓摺の上部に載置されボルト等の締結手段にて締結される止水保持枠と、沓摺間の止水は平板形状のパッキン材を介しておこなうことを特徴とする請求項１に記載の防水扉の止水機構。
【請求項３】
災害発生時に片開き式または両開き式の防水扉を閉鎖して開口部からの流水を防止する防水扉において、防水扉の上枠部並びに竪枠部の止水機構はパッキン材を介して前記防水扉を押圧して止水を行う構成とし、該防水扉の下端部と床面部の間隙用止水機構はＴ字形状の止水保持枠を防水扉の閉鎖位置に設けられる沓摺に蝶番を介して回転可能に接続して通常時は前記沓掛の側面に設けられた収納部に収納しておき、該収納されたＴ字形状の止水保持枠は災害発生時に沓掛上に起伏させて沓掛上に載置することで前記防水扉と床面部の間隙を塞ぐことができ、該Ｔ字形状の止水保持枠と防水扉の下端部の止水はＴ字形状の止水保持枠上部に設けられたパッキン材にておこない、また前記Ｔ字形状の止水保持枠と沓摺間の止水はＴ字形状の止水保持枠と沓摺間に平板形状のパッキン材を介してＴ字形状の止水保持枠を前記沓摺とボルト等の締結手段にて締結しておこなうことを特徴とする防水扉の止水機構。
【請求項４】
前記沓摺の上部に載置されボルト等の締結手段にて締結される止水保持枠はＴ字形状の止水保持枠に代えてＬ字形状の止水保持枠を形成し、該Ｌ字形状の止水保持枠と防水扉の下端部の止水はＬ字形状の止水保持枠上部に設けられたパッキン材にておこない、また前記Ｌ字形状の止水保持枠と沓摺間の止水はＬ字形状の止水保持枠と沓摺間に平板形状のパッキン材を介してＬ字形状の止水保持枠を前記沓摺とボルト等の締結手段にて締結しておこなうことを特徴とする請求項１乃至請求項３の何れかに記載の防水扉の止水機構。
【発明の詳細な説明】
【技術分野】
【０００１】
本発明は、ビルの出入り口や、地下鉄、地下通路、地下街、地下駐車場等の出入り口や通路に設置され、豪雨時や水害時等の緊急時に施設内への浸水を防ぐ防水扉の止水機構に関するものである。
【０００２】
また、本発明は、片開き扉や両開き扉形式の防水扉において扉と床面の止水機構を提供するもので、構造が簡単で緊急時に誰でも操作することができる防水扉の止水機構を提供するものであり、またメンテナンスを大幅に軽減できる構造を有し、止水機能にすぐれ、床面においてはバリアフリーを阻害しない沓摺部を有する防火扉の止水機構を提供するものである。
【背景技術】
【０００３】
近時、都市型豪雨によりビルの地下室や、地下鉄、地下通路、地下街、地下駐車場等が短時間の内に浸水する災害が発生している。
【０００４】
従って、水害の発生時におけるビルの出入り口や、地下鉄、地下通路、地下街、地下駐車場等の出入り口や通路には、水害時における浸水を防止する防災用の防水扉を設置することがある。防災用の防水扉は、特開平９−１７０３８２号公報（以下、特許文献１と称する）に開示された起伏式の防水扉や、特許第３３２６４８８号公報（以下、特許文献２と称する）に開示された引戸式の防水扉、そして、特開平７−２７９５５０号公報（以下、特許文献３と称する）に開示された片開き扉式の防水扉がある。
【０００５】
而して、特許文献１により開示された起伏式の防水扉の特徴は、大きな水圧に耐えるように堅牢で重量のある防水扉を床面内に格納しておき、浸水を防止する際にエアーシリンダーやオイルシリンダー、またはバルーンジャッキを用いることにより防水扉を床面から起伏させ、該防水扉を床側戸当たりや、立上がり戸当たりのクッション兼用防水型ゴムに当接して起立状態に保持することで、浸水を防ぐ防水扉を構成している。
【０００６】
起伏式の防水扉は、堅牢で重量のある防水扉を床面内に格納しておき、災害時に大重量の防水扉を起立させるための駆動装置が必要であるが、該駆動装置はどうしても定期点検の必要なエアーシリンダーやオイルシリンダー、またはバルーンジャッキ等、頻繁にメンテナンスの必要な駆動装置を使用せざるを得ない欠点がある。また、防水扉を床面に格納するための格納部には、防水扉と前記エアーシリンダーやオイルシリンダー等の駆動装置が組み込まれるために床面の施工深さや大きさが必要となり、特に改修工事にて起伏式の防水扉を施工することは、スペースの関係で不可能となることが多い。
【０００７】
また、特許文献２により開示された引戸式の防水扉の特徴は、引戸式の防水扉本体と、左右に立設するガイド柱、戸当り柱と、床部に敷設し扉本体を案内するレールと扉本体に搭載する密閉機構とを備えており、該密閉機構は、扉本体上の手動ハンドルを介し、扉本体の両側端部に軸着する複数の偏心ローラを一斉に回転させ、閉鎖状態の扉本体を裏面側に平行移動させて扉本体の左右側端縁や下端縁を水密的にシールするものである。
【０００８】
引戸式の防水扉は、防火扉の開口幅と同じ、若しくはそれ以上の幅を有する扉の収納スペースの袖が必要で設置場所が限定される欠点がある。また、引戸式の防火扉は、扉本体内に扉の密閉機構を備え大重量で扉厚の大きな形状を有しており、該引戸式の防火戸をスライドさせる機構と扉の開口部に扉を押圧する機構が必要であり、防水扉をスライド移動させるスライドレールはベース材の溝部内に収納され、そのベース材の溝部内側にパッキン等の水密機構を設けることにより防水扉の下縁と床面間の防水性を得ているものである。従って前記スライドレールとベース材の構造は、堅牢で溝部の幅が大きなものになり、防水扉を使用していないとき、該防水扉の開口部床面にはスライドレールを内蔵したベース材の溝部が存在して建物や施設のバリアフリー化を阻害する要因となっている。特許文献２の例では、このために前記ベース材に蓋材を被せたり、縁板を敷設して改良をほどこしているが、当該引き戸式の防水扉において、床面設置型のスライドレール構造は、バリアフリー化に対応するにはあまり適していない。
【０００９】
更に、特許文献３により開示された片開き扉式の防水扉は、左右に支柱を有する上部解放の扉枠と、２軸ヒンジを介し、前記扉枠に対して開閉自在に装着する片開き式の扉本体と、該扉本体に搭載する閂機構からなり、該閂機構は前記扉本体の左右に閂部材を突出させることにより、前記扉本体を支柱材や閉鎖状態にロックするものであり、扉本体は閂部材によりパッキンを介して扉枠に密着され、この時パッキンは扉の左右の両側端縁、下端縁を水密にシールすることができるとしており、この構成は、両開き扉式の防水扉にても略同様であるが、両開き扉式の防水扉には、扉と扉間の召し合わせ部分における止水機構が付加される。
【００１０】
而して、特許文献３の片開き式扉や、同類の両開き式扉の防水扉は、扉の開口部より扉を９０度回動させ片側、または両側の袖壁に夫々の防火扉を収納でき、前記起伏式の防水扉の如く床面内に大きな扉収納スペースを必要とせず、また引き戸式の防水扉の如く扉の収納スペースとなる巾広の袖部を必要としない。
【００１１】
然しながら、片開き式扉や両開き式扉の防水扉は、扉をヒンジを中心に回動させ４方枠にパッキンを介して押圧させることで四方枠と扉間の水密を保持する構成が必要で、該水密保持部分の形状はどうしても戸当たり部分と水密保持部分を形成するために開口部側に突出する外枠と、扉を嵌合するための内枠形状部を必要としている。従って、前記四方枠の内床面に設置される沓摺部は、床面に段差を付けて水密保持機構を有する沓摺部を設けるか、床面に突出した外枠と内枠からなる沓摺（特許文献３における基材１１、段部１１ａ）を設けざるを得ない欠点がある。
【００１２】
そして、片開き式扉や両開き式扉の防水扉の欠点は、床面に水密性を保持するために設けられる沓摺部分が床面上に突出したり、段差となりバリアフリー化を阻害することであり、この点を解決するために図７に示す様な従来装置が開発されている。
【００１３】
即ち、図７は、バリアフリー化を阻害しないよう開発された防水扉の説明図であり水圧付加側からの正面図である。図７において、５０は床面、５１ａ、５１ｂは竪枠を形成する枠材、５２は上枠、５３ａ、５３ｂはフラッシュ扉タイプの防水扉、５４は前記防水扉の５３ａ、５３ｂの召し合わせ部、５５ａ、５５ｂ、５６ａ、５６ｂは前記防水扉５３ａ、５３ｂを回動可能に支承して開口できる重量扉用のヒンジの軸受けであり、該重量扉用ヒンジの軸受け５５ａ、５５ｂ、５６ａ、５６ｂには上下をヒンジ軸受けにて保持されたヒンジ回動部５７を有している。
【００１４】
斯くして、前記ヒンジ回動部５７には、油圧装置（図示せず）を接続することにより上下に摺動可能であり、該ヒンジ回動部５７を油圧装置にて下方に摺動することにより、防水扉５３ａ、５３ｂの下端部５８ａ、５８ｂは、図７の扉閉鎖の状態からクリアランスＣ分のみ床面５０に押し付けられるので、防水扉５３ａ、５３ｂの下端部５９ａ、５９ｂにパッキン等水密用部材を設置しておけば、防水扉５３ａ、５３ｂと床面５０間は水密が保持されることになり、当該水密機構は、床面５０に突出した沓摺や段差を設ける必要がなくなり、床面５０をフラットに構成することができると云うものである。
【００１５】
然しながら、図７に示す従来例は、重量のある防水扉５３ａ、５３ｂを油圧装置にて上下に移動させる機構が不可欠で製作コストがかかるほか、油圧装置などは定期的に点検の必要性があり、メンテナンス費用が定期的に発生する。また、油圧装置などを組み込んだ防水扉５３ａ、５３ｂは、構造が複雑で、緊急時に誰でもが操作できるものではなく、日常的に点検の必要性のある厄介な防水扉の止水機構と云わざるとえない。
【先行技術文献】
【特許文献】
【００１６】
【特許文献１】特開平９−１７０３８２号公報
【特許文献２】特許第３３２６４８８号公報
【特許文献３】特開平７−２７９５５０号公報
【発明の概要】
【発明が解決しようとする課題】
【００１７】
本発明が解決しようとする課題は、エアーシリンダーやオイルシリンダーなど圧縮空気装置や油圧装置を防水扉に組み込んで防水扉の止水保持機構を駆動させる必要がないので、製作コストを安価に抑えることができ、また、構造が簡単で緊急時に誰でも操作することができる防水扉の止水機構を提供するもので、油圧装置等複雑な機構を必要とせずメンテナンスが大幅に軽減できる構造を有し、防水機能にすぐれ、床面においてはバリアフリー化を阻害しない沓摺部を有する防火扉の止水機構を提供するものである。
【課題を解決するための手段】
【００１８】
本発明は、災害発生時に片開き式または両開き式の防水扉を閉鎖して開口部からの流水を防止する防水扉において、防水扉の上枠部並びに竪枠部の止水機構はパッキン材を介して前記防水扉を押圧して止水を行う構成とし、該防水扉の下端部と床面部の間隙用止水機構はＴ字形状の止水保持枠を防水扉の下端部に設置して防水扉の閉鎖位置の沓摺上部に搬送可能で、該Ｔ字形状の止水保持枠は防水扉の閉鎖位置において下方に設けられた沓摺上に降下移動して前記防水扉と床面部の間隙を塞ぐことができ、該Ｔ字形状の止水保持枠を前記沓摺とボルト等の締結手段にて締結しＴ字形状の止水保持枠と防水扉の下端部の止水はＴ字形状の止水保持枠上部に設けられたパッキン材にておこなう防水扉の止水機構を提供するものである。
【００１９】
また、本発明において、前記沓摺の上部に載置されボルト等の締結手段にて締結される沓摺と止水保持枠間の止水は、平板形状のパッキン材を介しておこなう防水扉の止水機構でもある。
【００２０】
更に、本発明は、災害発生時に片開き式または両開き式の防水扉を閉鎖して開口部からの流水を防止する防水扉において、防水扉の上枠部並びに竪枠部の止水機構はパッキン材を介して前記防水扉を押圧して止水を行う構成とし、該防水扉の下端部と床面部の間隙用止水機構はＴ字形状の止水保持枠を防水扉の閉鎖位置に設けられる沓摺に蝶番を介して回転可能に接続して通常時は前記沓掛の側面に設けられた収納部に収納しておき、該収納されたＴ字形状の止水保持枠は災害発生時に沓掛上に起伏させて沓掛上に載置することで前記防水扉と床面部の間隙を塞ぐことができ、該Ｔ字形状の止水保持枠と防水扉の下端部の止水はＴ字形状の止水保持枠上部に設けられたパッキン材にておこない、また前記Ｔ字形状の止水保持枠と沓摺間の止水はＴ字形状の止水保持枠と沓摺間に平板形状のパッキン材を介してＴ字形状の止水保持枠を前記沓摺とボルト等の締結手段にて締結しておこなう防水扉の止水機構を提供するものである。
【００２１】
そして、本発明において、前記沓摺の上部に載置されボルト等の締結手段にて締結される止水保持枠は、Ｌ字形状の止水保持枠を形成し、該Ｌ字形状の止水保持枠と防水扉の下端部の止水はＬ字形状の止水保持枠上部に設けられたパッキン材にておこない、また前記Ｌ字形状の止水保持枠と沓摺間の止水はＬ字形状の止水保持枠と沓摺間に平板形状のパッキン材を介してＬ字形状の止水保持枠を前記沓摺とボルト等の締結手段にて締結しておこなう防水扉の止水機構でもある。
【発明の効果】
【００２２】
斯くして、本発明は、エアーシリンダーやオイルシリンダーなど圧縮空気装置や油圧装置を防水扉に組み込んで防水扉の止水保持機構を駆動させる必要がないので、製作コストを安価に抑えることができる。また、構造が簡単で緊急時に誰でも操作することができる防水扉の止水機構を提供するもので、油圧装置等複雑な機構を必要とせずメンテナンスが大幅に軽減できる構造を有している。
【００２３】
そして、本発明は、防水扉において、優れた止水機能を発揮できるもので、防水扉の開口部床面においてはバリアフリー化を阻害しない沓摺部を有する防火扉の止水機構を提供することができた。
【図面の簡単な説明】
【００２４】
【図１】本発明の防水扉を説明する正面図。
【図２】本発明の防水扉を説明する部分平断面図。
【図３】本発明の防水扉を説明する縦断面図。
【図４】本発明の動作を説明する縦断面図。
【図５】本発明の実施例２を説明する縦断面図。
【図６】（Ａ）実施例２を説明する動作説明図。       （Ｂ）実施例２の動作完了説明図。
【図７】従来装置の一例を示す正面図。
【発明を実施するための形態】
【００２５】
本発明は、ビルの出入り口や、地下鉄、地下通路、地下街、地下駐車場等の出入り口や通路に設置され、豪雨時や水害時等の緊急時に施設内への浸水を防ぐ防水扉の止水機構に関するものである。
【００２６】
また、本発明は、片開き扉や両開き扉形式の防水扉における扉と床面の止水機構を提供するもので、構造が簡単で緊急時に誰でも操作することができる防水扉の止水機構を提供して、メンテナンスが大幅に軽減できる構造を有し、且つ止水機能にすぐれ、床面においてはバリアフリーを阻害しない沓摺部を有する防火扉の止水機構を提供するものである。
【００２７】
而して、本発明を詳説すれば、本発明はエアーシリンダーやオイルシリンダーなど圧縮空気装置や油圧装置を防水扉に組み込んで防水扉の止水保持機構を駆動させる必要がないので、製作コストを安価に抑えることができ、また、構造が簡単であることから緊急時に誰でも取付や操作することができる防水扉の止水機構を提供するものである。また本発明は、油圧装置等複雑な機構を必要としないためメンテナンスが大幅に軽減できる構造を有しており、防水機能にすぐれ、床面においてはバリアフリー化を阻害しない沓摺部を有する防火扉の止水機構である。
【００２８】
本発明は、災害発生時に片開き式または両開き式の防水扉を閉鎖して開口部からの流水を防止する防水扉において、防水扉の上枠部並びに竪枠部の止水機構はパッキン材を介して前記防水扉を押圧して止水を行う構成とし、該防水扉の下端部と床面部の間隙用止水機構はＴ字形状の止水保持枠を防水扉の下端部に設置して防水扉の閉鎖位置の沓摺上部に搬送可能で、該Ｔ字形状の止水保持枠は防水扉の閉鎖位置において下方に設けられた沓摺上に降下移動して前記防水扉と床面部の間隙を塞ぐことができ、該Ｔ字形状の止水保持枠を前記沓摺とボルト等の締結手段にて締結しＴ字形状の止水保持枠と防水扉の下端部の止水はＴ字形状の止水保持枠上部に設けられたパッキン材にておこなう構成であることが好ましい。
【００２９】
また、本発明において、前記沓摺の上部に載置されボルト等の締結手段にて締結される沓摺と止水保持枠間の止水は、平板形状のパッキン材を介しておこなう防水扉の止水機構でもある。
【００３０】
更に、本発明は、災害発生時に片開き式または両開き式の防水扉を閉鎖して開口部からの流水を防止する防水扉において、防水扉の上枠部並びに竪枠部の止水機構はパッキン材を介して前記防水扉を押圧して止水を行う構成とし、該防水扉の下端部と床面部の間隙用止水機構はＴ字形状の止水保持枠を防水扉の閉鎖位置に設けられる沓摺に蝶番を介して回転可能に接続して通常時は前記沓掛の側面に設けられた収納部に収納しておき、該収納されたＴ字形状の止水保持枠は災害発生時に沓掛上に起伏させて沓掛上に載置することで前記防水扉と床面部の間隙を塞ぐことができ、該Ｔ字形状の止水保持枠と防水扉の下端部の止水はＴ字形状の止水保持枠上部に設けられたパッキン材にておこない、また前記Ｔ字形状の止水保持枠と沓摺間の止水はＴ字形状の止水保持枠と沓摺間に平板形状のパッキン材を介してＴ字形状の止水保持枠を前記沓摺とボルト等の締結手段にて締結しておこなう構成であることが好ましい。
【００３１】
そして、本発明において、前記沓摺の上部に載置されボルト等の締結手段にて締結される止水保持枠は、Ｌ字形状の止水保持枠を形成し、該Ｌ字形状の止水保持枠と防水扉の下端部の止水はＬ字形状の止水保持枠上部に設けられたパッキン材にておこない、また前記Ｌ字形状の止水保持枠と沓摺間の止水はＬ字形状の止水保持枠と沓摺間に平板形状のパッキン材を介してＬ字形状の止水保持枠を前記沓摺とボルト等の締結手段にて締結しておこなう防水扉の止水機構でもある。
【００３２】
斯くして、本発明は、エアーシリンダーやオイルシリンダーなど圧縮空気装置や油圧装置を防水扉に組み込んで防水扉の止水保持機構を駆動させる必要がないので、製作コストを安価に抑えることができる。また、構造が簡単で緊急時に誰でも操作することができる防水扉の止水機構を提供するもので、油圧装置等複雑な機構を必要とせずメンテナンスが大幅に軽減できる構造を有している。
【００３３】
そして、本発明は、防水扉において、優れた止水機能を発揮できるもので、防水扉の開口部床面においてはバリアフリー化を阻害しない沓摺部を有する防火扉の止水機構を提供することができた。
【実施例１】
【００３４】
斯して、図１は本発明の実施例１を説明する正面図、図２は図１の部分平断面図、図３は図１の縦断面図、図４は実施例１の動作を説明する立断面図である。
【００３５】
図１乃至図４において、１は床面部、２ａ、２ｂは竪枠部、３は上枠部、４ａ、４ｂはフラッシュタイプの防水扉、５は防水扉４ａ、４ｂの召し合わせ部で、防水扉４ａ、４ｂは両開き扉式の防水扉を示している。そして前記防水扉４ａ、４ｂは、重量用ヒンジ６ａ、６ｂ、７ａ、７ｂにて竪枠部２ａ、２ｂに回転可能に支承されており、各防水扉４ａ、４ｂは床面部１との間に間隙Ｃを有して夫々９０度回動可能であり、前記防水扉４ａ、４ｂは両側の壁面（図示せず）に収納されている構成で、当該防水扉４ａ、４ｂの設置場所は通常時において開口部８をもって、出入口として使用されている。
【００３６】
また、図１に示す９ａ、９ｂは防水扉４ａ、４ｂの戸締り用のハンドルで、該戸締り用ハンドル９ａ、９ｂを回転することにより、閂機構１０ａ、１０ｂが働いて、前記防水扉４ａ、４ｂを竪枠部２ａ、２ｂと上枠部３に押圧した状態で閉鎖して開口部８に固定する。尚、図１、図２において１１ａ、１１ｂは止水機構、１２は前記竪枠部２ａ、２ｂと防水扉４ａ、４ｂ間の止水用パッキン、１３ａ、１３ｂは防水扉４ａ、４ｂ間の召し合わせ止水用の平板形状パッキングである。
【００３７】
而して、図３は、防水扉４ａ、４ｂの下端部１４ａ、１４ｂと床面部１の間隙Ｃの封鎖用に設けられた止水機構１１ａ、１１ｂの詳細を説明するものであり、防水扉４ａ、４ｂの下端部１４ａ、１４ｂに固定された支持部材１５ａ、１５ｂに夫々ボルト１６ａ、１６ｂ、１６ｃ・・・によりＴ字形状の止水保持枠１７ａ、１７ｂを垂設しており、該Ｔ字形状の止水保持枠１７ａ、１７ｂは前記防水扉４ａ、４ｂの下端部１４ａ、１４ｂの全幅にわたって配置されている。
【００３８】
また、１８ａ、１８ｂはＴ字形状の止水保持枠１７ａ、１７ｂの上部に設けられたパッキン材、１９ａ、１９ｂは前記止水機構１１ａ、１１ｂを覆うカバー材であり、該カバー材１９ａ、１９ｂは災害発生時に防水扉４ａ、４ｂの下端部１４ａ、１４ｂよりビス２０ａ、２０ｂ、２０ｃ・・・を外して図４に示すごとく離脱させることが可能である。
【００３９】
そして、前記Ｔ字形状の止水保持枠１７ａ、１７ｂは部材としても堅牢で重量のあるものであるが、前記防水扉４ａ、４ｂを災害発生時に閉鎖すると床面部１の沓摺２１上に搬送可能でありＴ字形状の止水保持枠１７ａ、１７ｂは防水扉４ａ、４ｂの下端部１４ａ、１４ｂ部分設置され保持、保管されている。また、沓摺２１は、チャンネル形状を有した見切り板で床面部１内に埋め込まれたベースプレート２２ａ、２２ｂ、２２ｃ・・・により床面部１に設置されており、該沓摺２１には任意ピッチでインサート２３ａ、２３ｂ、２３ｃ・・・とインサート２４ａ、２４ｂ、２４ｃ・・・が設けられており、該インサート上のＴ字形状の止水保持枠１７ａ、１７ｂにはボルト挿入穴２５ａ、２５ｂ、２５ｃ・・・、２６ａ、２６ｂ、２６ｃ・・・が穿たれている。尚、図３、図４において、２７は前記上枠部３に設けられた防水扉４ａ、４ｂのパッキン材、２８は装架された天井材を示している。
【００４０】
斯して、実施例１においては、防災発生時に防水扉４ａ、４ｂを閉鎖し、図４に示す如くビス２０ａ、２０ｂ、２０ｃ・・・を外してカバー材１９ａ、１９ｂを防水扉４ａ、４ｂの下端部１４ａ、１４ｂより取り外す。そして、防水扉４ａ、４ｂの上枠部３、並びに竪枠部２ａ、２ｂの止水機構はパッキン材２７と止水用パッキン１２を介して前記防水扉４ａ、４ｂを押圧して止水を行う構成とし、該防水扉４ａ、４ｂの下端部１４ａ、１４ｂと床面部１の間隙Ｃ用の止水機構１１ａ、１１ｂはＴ字形状の止水保持枠１７ａ、１７ｂを防水扉４ａ、４ｂの下端部１４ａ、１４ｂに設置して防水扉４ａ、４ｂの閉鎖位置の沓摺２１上部に搬送可能で、該Ｔ字形状の止水保持枠１７ａ、１７ｂは防水扉４ａ、４ｂの閉鎖位置において下方に設けられた沓摺２１上にボルト１６ａ、１６ｂ、１６ｃ・・・を操作して降下移動して、前記防水扉４ａ、４ｂと床面部１の間隙Ｃを塞ぐことができる。
【００４１】
そして、前記Ｔ字形状の止水保持枠１７ａ、１７ｂを沓摺２１のインサート２３ａ、２３ｂ、２３ｃ・・・、２４ａ、２４ｂ、２４ｃ・・・間でボルト２９ａ、２９ｂ、２９ｃ・・・、３０ａ、３０ｂ、３０ｃ・・・の締結手段にて締結し、Ｔ字形状の止水保持枠１７ａ、１７ｂと防水扉４ａ、４ｂの下端部１４ａ、１４ｂの止水は、Ｔ字形状の止水保持枠１７ａ、１７ｂ上部に設けられたパッキン材１８ａ、１８ｂにておこなう防水扉の止水機構を提供する。
【００４２】
尚、実施例１の他の例として、前記沓摺２１の上部に載置されボルト２９ａ、２９ｂ、２９ｃ・・・、３０ａ、３０ｂ、３０ｃ・・・の締結手段にて締結される止水保持枠１７ａ、１７ｂはＬ字形状の止水保持枠を形成し、該Ｌ字形状の止水保持枠と防水扉４ａ、４ｂの下端部１４ａ、１４ｂの止水はＬ字形状の止水保持枠上部に設けられたパッキン材にておこなう様にすることもできる。
【００４３】
また、前記沓摺２１の上部に載置されボルト２９ａ、２９ｂ、２９ｃ・・・、３０ａ、３０ｂ、３０ｃ・・・の締結手段にて締結される沓摺２１と止水保持枠１７ａ、１７ｂ間の止水は平板形状のパッキン材を介しておこなうと非常に効果的である。
【００４４】
斯して、実施例１は、従来装置の如くエアーシリンダーやオイルシリンダーなど圧縮空気装置や油圧装置を防水扉に組み込んで防水扉の止水保持機構を駆動させる必要がないので、製作コストを安価に抑えることができる。また、構造が簡単で緊急時に誰でも操作することができる防水扉の止水機構を提供するもので、油圧装置等複雑な機構を必要とせずメンテナンスが大幅に軽減できる構造を有している。
【００４５】
また、実施例１は、防水扉において、優れた止水機能を発揮できるもので、防水扉の開口部床面においてはバリアフリー化を阻害しない沓摺部を有する防火扉の止水機構を提供することができた。
【実施例２】
【００４６】
斯して、図１は本発明の実施例２を説明する正面図、図２は図１の部分平断面図、図５は実施例２を説明する縦断面図、図６（Ａ）は実施例２を説明する動作説明図、図６（Ｂ）は実施例２の動作完了説明図である。
【００４７】
図１、図２及び図５、図６（Ａ）、（Ｂ）において、１は床面部、２ａ、２ｂは竪枠部、３は上枠部、４ａ、４ｂはフラッシュタイプの防水扉、５は防水扉４ａ、４ｂの召し合わせ部で、防水扉４ａ、４ｂは両開き扉式の防水扉を示している。そして前記防水扉４ａ、４ｂは、重量用ヒンジ６ａ、６ｂ、７ａ、７ｂにて竪枠部２ａ、２ｂに回転可能に支承されており、各防水扉４ａ、４ｂは床面部１との間に間隙Ｃを有して９０度回動可能であり、各防水扉４ａ、４ｂは両側の壁面（図示せず）に収納される構成で、通常時は開口部８をもって、出入口として使用されている。
【００４８】
また、図１に示す９ａ、９ｂは防水扉４ａ、４ｂの戸締り用のハンドルで、該戸締り用ハンドル９ａ、９ｂを回転することにより、閂機構１０ａ、１０ｂが働いて、前記防水扉４ａ、４ｂを竪枠部２ａ、２ｂと上枠部３に押圧した状態で閉鎖して開口部８に固定する。尚、図１、図２において１１ａ、１１ｂは止水機構、１２は前記竪枠部２ａ、２ｂと防水扉４ａ、４ｂ間の止水用パッキン、１３ａ、１３ｂは防水扉４ａ、４ｂ間の召し合わせ止水用の平板形状パッキングである。
【００４９】
尚、図５、図６は、実施例２において防水扉４ａ、４ｂの下端部１４ａ、１４ｂと床面部１の間隙Ｃの封鎖用に設けられた止水機構１１ａ、１１ｂの詳細を説明するものであり、該止水機構１１ａ、１１ｂは防水扉４ａ部分の断面図を用いて説明するので、符号において防水扉４ｂ側の符号は省略する。
【００５０】
而して、防水扉４ａの下端部１４ａ側に構成されるＴ字形状の止水保持枠１７ａは、沓摺２１上に丁番３１を介して回転可能に設けられており、図６（Ａ）に示す如く、想像線ａ、ｂ、ｃの如く回動して沓摺２１の側部に設けられた収納部３２内に収納可能で、図６（Ｂ）に示す如くカバー材３３を載置すれば開口部８の通路ができあがる。そして、前記Ｔ字形状の止水保持枠１７ａは、部材としても堅牢で重量のあるものであるが、前記防水扉４ａを災害発生時において防水扉４ａを閉鎖する前に前記カバー材３３を取り外して前記止水保持枠１７ａを床面部１の沓摺２１上に図６（Ａ）の如く載置可能である。
【００５１】
また、前記沓摺２１は、チャンネル形状を有した見切り板で、床面部１内に埋め込まれたベースプレート２２ａ、２２ｂ、２２ｃ・・・により床面部１に設置されており、該沓摺２１には任意ピッチでインサート２３ａ、２３ｂ、２３ｃ・・・とインサート２４ａ、２４ｂ、２４ｃ・・・が設けられており、該インサート上にはボルト挿入穴２５ａ、２５ｂ、２５ｃ・・・、２６ａ、２６ｂ、２６ｃ・・・が穿たれているので、前記Ｔ字形状の止水保持枠１７ａは前記Ｔ字形状の止水保持枠１７ａを沓摺２１のインサート２３ａ、２４ａ間でボルト２９ａ、３０ａの締結手段にて締結し図５に示すような止水機構１１ａを構成する。
【００５２】
斯して、実施例２は、災害発生時に片開き式または両開き式の防水扉を閉鎖して開口部からの流水を防止する防水扉４ａ、４ｂにおいて、前記防水扉４ａ、４ｂの上枠部３、並びに竪枠部２ａ、２ｂの止水機構１１ａ、１１ｂはパッキン材２７とパッキン材１２を介して前記防水扉４ａ、４ｂを押圧して止水を行う構成とし、該防水扉４ａ、４ｂの下端部１４ａ、１４ｂと床面部１の間隙Ｃ用の止水機構１１ａ、１１ｂはＴ字形状の止水保持枠１７ａ、１７ｂを防水扉４ａ、４ｂの閉鎖位置に設けられる沓摺２１に丁番３１を介して回転可能に接続して、通常時は前記沓摺２１の側面に設けられた収納部３２に収納しておき、該収納されたＴ字形状の止水保持枠１７ａ、１７ｂは災害発生時に沓摺２１上に起伏させて沓摺２１上に載置することで前記防水扉４ａ、４ｂと床面部１の間隙Ｃを塞ぐことができる。
【００５３】
そして、前記Ｔ字形状の止水保持枠１１ａ、１１ｂを沓摺２０に設けられたインサート２３ａ、２３ｂ、２３ｃ・・・、２４ａ、２４ｂ、２４ｃ・・・とボルト２９ａ、２９ｂ、２９ｃ・・・、３０ａ、３０ｂ、３０ｃ・・・の締結手段にて締結し、Ｔ字形状の止水保持枠１１ａ、１１ｂと防水扉４ａ、４ｂの下端部１４ａ、１４ｂの止水はＴ字形状の止水保持枠１１ａ、１１ｂの上部に設けられたパッキン材１８ａ、１８ｂにておこなう防水扉の止水機構を提供するものである。
【００５４】
尚、実施例２の他の例として、前記沓摺２１の上部に載置されボルト２９ａ、２９ｂ、２９ｃ・・・、３０ａ、３０ｂ、３０ｃ・・・の締結手段にて締結される止水保持枠１７ａ、１７ｂはＬ字形状の止水保持枠を形成し、該Ｌ字形状の止水保持枠と防水扉４ａ、４ｂの下端部１４ａ、１４ｂの止水はＬ字形状の止水保持枠上部に設けられたパッキン材にておこなう様にすることもできる。
【００５５】
また、前記沓摺２０の上部に載置されボルト２９ａ、２９ｂ、２９ｃ・・・、３０ａ、３０ｂ、３０ｃ・・・の締結手段にて締結される沓摺２１と止水保持枠１７ａ、１７ｂ間の止水は平板形状のパッキン材３４を介しておこなうと非常に効果的である。
【００５６】
斯して、実施例２は、従来装置の如くエアーシリンダーやオイルシリンダーなど圧縮空気装置や油圧装置を防水扉に組み込んで防水扉の止水保持機構を駆動させる必要がないので、製作コストを安価に抑えることができる。また、構造が簡単で緊急時に誰でも操作することができる防水扉の止水機構を提供するもので、油圧装置等複雑な機構を必要とせずメンテナンスが大幅に軽減できる構造を有している。
【００５７】
また、実施例２は、防水扉において、優れた止水機能を発揮できるもので、防水扉の開口部床面においてはバリアフリー化を阻害しない沓摺部を有する防火扉の止水機構を提供することができた。
【符号の説明】
【００５８】
１  床面部
２ａ、２ｂ  竪枠部
３  上枠部
４ａ、４ｂ  防水扉
５  召し合わせ部
６ａ、６ｂ  重量用ヒンジ
７ａ、７ｂ  重量用ヒンジ
８  開口部
９ａ、９ｂ  戸締り用ハンドル
１０ａ、１０ｂ  閂機構
１１ａ、１１ｂ  止水機構
１２  止水用パッキン
１３ａ、１３ｂ  止水用の平板形状パッキング
１４ａ、１４ｂ  下端部
１５ａ、１５ｂ、１５ｃ  支持部材
１６ａ、１６ｂ、１６ｃ・・・  ボルト
１７ａ、１７ｂ  止水保持枠
１８ａ、１８ｂ  パッキン材
１９ａ、１９ｂ  カバー材
２０ａ、２０ｂ、２０ｃ・・・  ビス
２１  沓摺
２２ａ、２２ｂ、２２ｃ・・・  ベースプレート
２３ａ、２３ｂ、２３ｃ・・・  インサート
２４ａ、２４ｂ、２５ｃ・・・  インサート
２５ａ、２５ｂ、２５ｃ・・・  ボルト挿入穴
２６ａ、２６ｂ、２６ｃ・・・  ボルト挿入穴
２７  パッキン材
２８  天井材
２９ａ、２９ｂ、２９ｃ・・・  ボルト
３０ａ、３０ｂ、３０ｃ・・・  ボルト
３１  丁番
３２  収納部
３３  カバー材
３４  パッキン材
Ｃ  間隙
【図１】
0005618427.tif 000002
【図２】
0005618427.tif 000003
【図３】
0005618427.tif 000004
【図４】
0005618427.tif 000005
【図５】
0005618427.tif 000006
【図６】
0005618427.tif 000007
【図７】
0005618427.tif 000008